(57)【要約】      （修正有）【課題】車椅子障害者が卓球をプレーするに、卓球ボールの飛行散乱を解消でき、また、折畳み収納に有利な車椅子専用卓球台を提供する。【解決手段】ネットフェンスを張るために卓球台の両面エンドラインのコーナーにエンドライン支柱２を立設し、該支柱２の上部に横パイプ３を取付け、前記エンドライン支柱２の上部に折畳み自在なプレーヤー用枠組パイプ４を取付ける。更に、前記横パイプ３の中央を卓球台の中央部分で屈折される上部折畳み中央パイプ５で繋ぎ、卓球台の中央部位にはエンドライン支柱２よりも高く、かつ卓球台下の左右に中央脚部１０に取付くワイヤー用中央支柱６を設け、該ワイヤー用中央支柱６の片側上部にワイヤー７の一端を取付け、該ワイヤー７は、ワイヤー用中央支柱６の下を潜り、及対側のワイヤー用中央支柱６の上部を通り、下降し、卓球台の中央側面を通り、反対側の卓球台側面に取着される。【選択図】図２
0003182186.tif 000002
【実用新案登録請求の範囲】
【請求項１】
卓球台の両面エンドラインのコーナーにエンドライン支柱を立設し、該支柱の上部に横パイプを取付けし、前記エンドライン支柱に折畳み自在なプレーヤー用枠組パイプを取付け、プレーヤーが自由に運動可能な空間範囲を形成し、前記横パイプの中央を卓球台の中央部分で屈折される上部折畳み中央パイプで繋ぎ、卓球台の中央部位にはエンドライン支柱よりも高く、かつ卓球台下の左右の中央脚部に取付くワイヤー用中央支柱が設けられ、該ワイヤー用中央支柱の片側上部にワイヤーの一端を取付け、該ワイヤーは、ワイヤー用中央支柱の下を潜り、反対側のワイヤー用中央支柱の上部を通り、下降し、卓球台の中央側面を通り、反対側の卓球台側面に取着され、卓球台を折畳むと、ワイヤー用中央支柱のワイヤーが引かれる状態となり、卓球台の折り支え金具を押し、プレーヤー用枠組パイプを下部に畳み、卓球台の両エンドラインを持ち上げると、中央の卓球台が左右に開き、側部に付けたワイヤーが引かれ、上部折畳み中央パイプの中央に通したワイヤーが押し上げられ、左右のエンドライン支柱が卓球台側に倒れ、ネットフェンスと卓球台との収納が可能になることを特徴とする車椅子専用卓球台。
【考案の詳細な説明】
【技術分野】
【０００１】  本考案は、車椅子専用卓球台に関するものである。
【背景技術】
【０００２】  従来、手足などの機能に障害を持つ人（以下、車椅子障害者という。）の機能回復訓練に着目した運動用具は種々提案されている。【０００３】  また、昨今は、卓球ブームに呼応して車椅子障害者の運動不足解消方法として卓球を嗜む事例が増えている。
しかし、車椅子障害者が卓球を行った場合、往々にして打球が卓球台の下や車椅子の下その他の場所に散らばることがあり、プレー中の車椅子障害者がその卓球ボールを拾い集めるには時間と労力が伴い、このように車椅子障害者にとって卓球ボールの拾い集めは至難である。
また、従来汎用されている卓球台にあっては、卓球台より飛散した打球の一個一個をボール拾い器で拾い集めていたから、余計な時間と労力を必要としていた。
【考案が解決しようとする課題】
【０００４】  本考案は、上記［０００３］項に記載の問題点を一掃することを目的として開発された車椅子専用卓球台に係る改良考案であって、詳しくは本考案は、打球した卓球ボールが卓球台外に飛散するのを確実に解消でき、また、取扱い収納に有利な手段を講じた車椅子専用卓球台を特徴とする。
【課題を解消するための手段】
【０００５】  本考案は、プレー中の卓球ボールが外部に飛散するのを防ぐ機能と、卓球台の折畳み収納等を円滑にする機能を具備している。
【考案を実施するための形態】
【０００６】  図１は、卓球台にネットフェンスを張るための枠組パイプを取り付けた状態を示す斜視図であり、卓球台１の両面エンドラインのコーナーにエンドライン支柱２を立設し、該支柱２の上部に横パイプ３を取付け、前記エンドライン支柱２の上部に折畳み自在なプレーヤー用枠組パイプ４を取付け、プレーヤーが自由に運動可能な空間範囲を形成する。
更に、前記横パイプ３の中央を卓球台１の中央部分で屈折される上部折畳み中央パイプ５で繋ぎ、更に、卓球台１の中央部位にはエンドライン支柱３よりも高く、かつ卓球台下の左右に中央脚部１０に取付くワイヤー用中央支柱６が設けられ、該ワイヤー用中央支柱６の片側上部にワイヤー７の一端を取付け、該ワイヤー７は、ワイヤー用中央支柱６の下を潜り、及対側のワイヤー用中央支柱６の上部を通り、下降し、卓球台の中央側面を通り、反対側の卓球台側面に取着される。
【０００７】  卓球台を折畳むと、ワイヤー用中央支柱６のワイヤー７が引かれる状態となるのを図４が示している。
図中７ａは、ワイヤーの滑車、８は卓球台の折り支え金具、９はアダプター付き脚部、１１は卓球台連結金具、１３は卓球台のエンドライン、１４は外付けネットフェンス、１５はプレーヤー用ネットフェンス、１６はプレーヤーの出入口、１７は卓球用ネットを示している。
【０００８】  本考案において、卓球台を収納するには、折り支え金具８を押し、プレーヤー用枠組パイプ４を下部に畳み、卓球台の両エンドライン１３を持ち上げると、中央の卓球台が左右に開き、側部に付けたワイヤー７が引かれ、上部折畳み中央パイプ５の中央に通したワイヤーが押し上げられ、左右のエンドライン支柱２が卓球台側に倒れ、そのためネットフェンスと卓球台との収納が可能になる（図５、図６）。
【考案の効果】
【０００９】  従って本考案は、卓球台にネットフェンスを備えているため、卓球ボールが外部に飛散するのを確実に防止することができる。
また、本考案は、卓球ボールの飛行散乱を防止できるから、車椅子障害者の運動不足解消用具として好適であり、更には、卓球台本体に外付けネットフェンスを取付けた場合、該ネットフェンスの内側空間が車椅子障害者のプレー場所として活用でき、しかも本考案に係る卓球台は、図５・図６に示すように折畳み収納状態を構成するため、収納に至便な卓球台として提供できる等の諸効果を発揮する。
【図面の簡単な説明】
【００１０】
【図１】  卓球台のネットフェンス枠組構成を示す斜視図。
【図２】  卓球台全体の斜視図。
【図３】  ネットフェンス用枠組の折畳み状態を示す斜視図。
【図４】  卓球台の折畳み状態とワイヤーの取付け状態を示す側面図。
【図５】  卓球台とネットフェンスの折畳み状態を示す側面図。
【図６】  卓球台の収納状態を示す側面図。
【符号の説明】１      卓球台
２      エンドライン支柱
３      横パイプ
４      プレーヤー用枠組パイプ
５      上部折畳み中央パイプ
６      ワイヤー用中央支柱
７      ワイヤー
７ａ    ワイヤーの滑車
８      折り支え金具
９      アダプター付き脚部
１０    中央脚部
１１    卓球台連結金具
１３    卓球台のエンドライン
１４    外付けネットフェンス
１５    プレーヤー用ネットフェンス
１６    プレーヤーの出入口
１７    卓球用ネット
【図１】
0003182186.tif 000003
【図２】
0003182186.tif 000004
【図３】
0003182186.tif 000005
【図４】
0003182186.tif 000006
【図５】
0003182186.tif 000007
【図６】
0003182186.tif 000008